(57)【要約】【課題】運搬中等の振動によって荷崩れが起き難いプラスチック製容器を提供する。【解決手段】直方形状容器１の外側壁３が交差する各隅角部の外側面に結束紐のズレ止めとなる凸部４ａ〜４ｄを該外側壁の外側面の延長線上よりもそれぞれ外方に出っ張るように形成し、かつ該各凸部は容器の一の対角線上に位置するものを除いて容器底面からの高さを互いに違えて形成することにより、該容器を平面上に横並びした際に隣り合う容器の凸部同士の干渉が避けられるようにする。【選択図】図１
2008110774.tif 000002
【特許請求の範囲】
【請求項１】
直方形状容器の外側壁が交差する各隅角部の外側面に結束紐のズレ止めとなる凸部を該外側壁の外側面の延長線上よりもそれぞれ外方に出っ張るように形成し、かつ該各凸部は該容器の一の対角線上に位置するものを除いて容器底面からの高さを互いに違えて形成することにより、該容器を平面上に横並びした際に隣り合う容器の凸部同士の干渉が避けられるようにしたことを特徴とするプラスチック製容器。
【請求項２】
直方形状容器の外側壁が交差する各隅角部の外側面に結束紐のズレ止めとなる凸部を該外側壁の外側面の延長線上よりもそれぞれ外方に出っ張るように形成し、かつ該各凸部は該容器の一の対角線上に位置するものを除いて容器底面からの高さを互いに違えて形成すると共に、該容器を平面上に横並びした際に隣り合う容器の凸部が収まる凹所を該容器の各隅部外側面に形成してなることを特徴とするプラスチック製容器。
【請求項３】
直方形状容器の外側壁が交差する各隅角部の外側面に結束紐のズレ止めとなる一対の凸部を適宜上下間隔を置いて形成すると共に、該容器の一方の対角線上に位置する凸部の前記上下間隔と他方の対角線上に位置する凸部の前記上下間隔とを広狭違えて形成することにより、該各凸部の容器底面からの高さが容器の一の対角線上に位置するものを除いて互いに違うようにしたことを特徴とする請求項１または２に記載のプラスチック製容器。
【発明の詳細な説明】
【技術分野】
【０００１】
本発明は、種々の物品を収納し、運搬・保管するためのプラスチック製容器に関するものである。
【背景技術】
【０００２】
機械部品、その他の物品を収納した複数のプラスチック製容器を、パレット等の平面上に横並びにして運搬するに際しては、振動等によって各容器が勝手に上下に動くおそれがあることから、荷崩れを起こし易いという問題があった。
【０００３】
また、上記のように複数のプラスチック製容器をパレット等の平面上に横並びにしたものに、ＰＰバンド等の結束紐を掛けることにより、運搬時等の荷崩れ，倒壊が防がれるようにすることが従来からなされている。下記特許文献１に示されたプラスチック製通い箱は、図２３，図２４に示したように、容器の隅部外壁ａの表面に横筋状に凸部ｂ，ｂを形成し、該凸部間に結束紐（図示せず）が引っ掛けられるようにすることで結束紐の滑り抜けが防がれ、運搬中に結束紐が滑って外れないようにすることを意図するものであった。
【特許文献１】実開昭５３−９３３１６号公報
【発明の開示】
【発明が解決しようとする課題】
【０００４】
ところが、上記特許文献１に記載された凸部ｂ，ｂは、図２４に示されたように、容器の側壁外側面の延長線上よりも外方に出っ張らないように突出量が小さく抑えられ、複数個の該容器を間隔を空けずに並べた場合にその凸部どうしが衝突し占有スペースが大きくなることのないようにしたものであったので、結束紐の滑り抜けが十分に防止されず、運搬時の振動によって外れるおそれがあった。
また、上記凸部ｂ，ｂは、複数個の該容器を平面上に横並びにした際に各容器が上下に動くことを妨げないものであったので、結束紐を掛けない限り荷崩れを防止することができないものであった。
【課題を解決するための手段】
【０００５】
上記課題を解決するため、請求項１に記載したプラスチック製容器は、直方形状容器の外側壁が交差する各隅角部の外側面に結束紐のズレ止めとなる凸部を該外側壁の外側面の延長線上よりもそれぞれ外方に出っ張るように形成し、かつ該各凸部は該容器の一の対角線上に位置するものを除いて容器底面からの高さを互いに違えて形成することにより、該容器を平面上に横並びした際に隣り合う容器の凸部同士の干渉が避けられるようにしたことを特徴とする。
また請求項２に記載したプラスチック製容器は、直方形状容器の外側壁が交差する各隅角部の外側面に結束紐のズレ止めとなる凸部を該外側壁の外側面の延長線上よりもそれぞれ外方に出っ張るように形成し、かつ該各凸部は該容器の一の対角線上に位置するものを除いて容器底面からの高さを互いに違えて形成すると共に、該容器を平面上に横並びした際に隣り合う容器の凸部が収まる凹所を該容器の各隅部外側面に形成してなることを特徴とする。
また請求項３に記載した発明は上記プラスチック製容器において、直方形状容器の外側壁が交差する各隅角部の外側面に結束紐のズレ止めとなる一対の凸部を適宜上下間隔を置いて形成すると共に、該容器の一方の対角線上に位置する凸部の前記上下間隔と他方の対角線上に位置する凸部の前記上下間隔とを広狭違えて形成することにより、該各凸部の容器底面からの高さが容器の一の対角線上に位置するものを除いて互いに違うようにしたことを特徴とする。
【発明の効果】
【０００６】
凸部の突出量を大きくしても隣り合う容器同士を接近して配置でき占有スペースを大きくすることがないと共に、隣り合う容器同士が運搬中に振動等により個々に上下動することがこの凸部同士の係合により抑えられ、荷崩れを効果的に防ぐことができる。また、これによって結束紐が滑って外れるようなことが確実に防止される。
【実施例１】
【０００７】
実施例１は請求項１および請求項３に記載した発明を実施するための最良の形態を示すもので、図１はこのプラスチック製容器の外観斜視図、図２は平面図、図３はその一方の隅角部の斜視図、図４は他方の隅角部の斜視図、図５は図２のＡ−Ａ線断面図、図６は図２のＢ−Ｂ線断面図である。この容器は、直方形状の容器１の上端開口縁に外方に水平に張り出す上面壁２が一体に形成され、該上面壁の先端部に垂下状の外側壁３が一体に形成されている。そして、該直方形状容器１の４辺の外側壁３が交差する各隅角部の外側面に結束紐のズレ止めとなる一対の凸部４ａ，４ａ〜４ｄ，４ｄを適宜上下間隔を置いて形成し、かつ該各凸部は外側壁３の外側面の延長線上よりもそれぞれ外方に出っ張るように形成すると共に、図２および図５に示したように該容器の一方の対角線Ｘ上に位置する凸部４ａ，４ａ，４ｃ，４ｃの前記上下間隔ｍと、図２および図６に示したように他方の対角線Ｙ上に位置する凸部４ｂ，４ｂ，４ｄ，４ｄの前記上下間隔ｎとを広狭違えて形成することにより、該各凸部の容器底面からの高さｈ１〜ｈ４が容器の一の対角線上に位置するものを除いて互いに違うように形成する。
【０００８】
なお、５ａ，５ａは上面壁２の一側壁寄りに形成された突起、５ｂ，５ｂは上面壁２の該突起と線対称位置となるように他側壁寄りに形成された嵌合孔である。また、図７にこの容器の下面を示したように、この容器本体１の下面四隅には互いに嵌合し合うように一方の対角線上にＬ字形接地部７ａ，７ａか形成され、他方の対角線上に正方形接地部７ｂ，７ｂが形成されている。
【０００９】
このプラスチック製容器は、図８に示したように、２つの容器の開口縁同士を重ね合わせ、互いの容器の前記突起５ａ，５ａを嵌合孔５ｂ，５ｂに嵌合することにより、機械部品等の内容物を包装し得る。そして、この容器は、複数個を平面上に並べたとき、図９に示したように、隣り合う容器の凸部４ａ，４ａと凸部４ｂ，４ｂとが互いに上下に退避位置していて衝突せず、凸部４ｃ，４ｃと凸部４ｄ，４ｄも互いに上下に退避位置して衝突しないことから、隣り合う容器同士を該凸部の一つ分だけ離れるだけで接近させることができる。このため占有スペースの増加を少なくすることができる。また、隣り合う容器同士が運搬中に振動等により個々に上下動することがこの凸部同士の係合により抑えられるので、荷崩れを防ぐことができる。さらに、これらの凸部４ａ，４ａ〜４ｄ，４ｄは外側壁３の外側面の延長線上よりもそれぞれ外方に出っ張るように形成され突出量が大きいので、ＰＰバンドのような結束紐をこれらの凸部に引っ掛けることにより、運搬中に振動等によっても滑って外れ倒壊するようなおそれがなく強固に梱包することができる。また、図１０，図１１に示したように、この容器を段積みした際には上下段の容器のＬ字形接地部７ａ，７ａ中に正方形接地部７ｂ，７ｂが互いに嵌合することから横ズレを防ぐことができる。
【実施例２】
【００１０】
実施例２は請求項２および請求項３に記載した発明を実施するための最良の形態を示すものである。図１２はこのプラスチック製容器の外観斜視図、図１３は平面図、図１４はその一方の隅角部の斜視図、図１５は他方の隅角部の斜視図、図１６は図１３のＡ−Ａ線断面図、図１７は図１３のＢ−Ｂ線断面図である。この容器は、上記実施例１と同様に直方形状容器１の上端開口縁に外方に水平に張り出す上面壁２が一体に形成され、該上面壁の先端部に垂下状の外側壁３が一体に形成されている。そして、該容器１の４辺の外側壁３が交差する各隅角部の外側面に結束紐のズレ止めとなる一対の凸部４ａ，４ａ〜４ｄ，４ｄを適宜上下間隔を置いて形成し、かつ該各凸部は外側壁３の外側面の延長線上よりもそれぞれ外方に出っ張るように形成すると共に、図１３および図１６に示したように該容器の一方の対角線Ｘ上に位置する凸部４ａ，４ａ，４ｃ，４ｃの前記上下間隔ｍと、図１３および図１７に示したように他方の対角線Ｙ上に位置する凸部４ｂ，４ｂ，４ｄ，４ｄの前記上下間隔ｎとを広狭違えて形成することにより、該各凸部の容器底面からの高さｈ１〜ｈ４が容器の一の対角線上に位置するものを除いて互いに違うように形成している。
【００１１】
なお、５ａ，５ａは上面壁２の一側壁寄りに形成された突起、５ｂ，５ｂは上面壁２の該突起と線対称位置となるように他側壁寄りに形成された嵌合孔である。また、図７にこの容器の下面を示したように、この容器本体１の下面四隅には互いに嵌合し合うように一方の対角線上にＬ字形接地部７ａ，７ａを形成し、他方の対角線上に正方形接地部７ｂ，７ｂを形成している。
【００１２】
そしてこの容器では、凸部４ａ，４ａの上部と下部に凹所８ａ，８ａを形成し、凸部４ｃ，４ｃの上部と下部に凹所８ｃ，８ｃを形成し、凸部４ｂ，４ｂの間に凹所８ｂを形成し、凸部４ｄ，４ｄの間に凹所８ｄを形成し、この容器を平面上に横並びした際に隣り合う容器の互いの凸部がこれらの凹所に収まるようにする。
【００１３】
このプラスチック製容器は、上記実施例１と同様に２つの容器の開口縁同士を重ね合わせ、互いの容器の前記突起５ａ，５ａを嵌合孔５ｂ，５ｂに嵌合することにより、機械部品等の内容物を包装し得る。そして、この容器は、複数個を平面上に並べたとき、図１９に示したように、該容器の凸部４ａ，４ａ〜４ｄ，４ｄが隣り合う容器の凹所８ａ，８ａ，８ｂ，８ｃ，８ｃ，８ｄに収まることから、図２０に示したように、隣り合う容器の外側壁３を互いに密接することができ、占有スペースを増加させることなく並べることができる。また、隣り合う容器同士が運搬中に振動等により個々に上下動することがこれらの凸部と凹所との係合により抑えられ、荷崩れを防ぐことができる。さらに、これらの凸部４ａ，４ａ〜４ｄ，４ｄは外側壁３の外側面の延長線上よりもそれぞれ外方に出っ張るように形成され突出量が大きいので、ＰＰバンドのような結束紐をこれらの凸部に引っ掛けることにより、運搬中に振動等によっても滑って外れ倒壊するようなおそれがなく強固に梱包することができる。また、図２１，図２２に示したように、この容器を段積みした際には上下段の容器のＬ字形接地部７ａ，７ａ中に正方形接地部７ｂ，７ｂが互いに嵌合することから横ズレを防ぐことができる。
【産業上の利用可能性】
【００１４】
なお以上の実施例は、２つの容器の開口縁同士を重ね合わせることにより内容物を包装し得る形状のものを示したが、一般的なプラスチック製容器について本発明の構造を適用しても上記のような所期の効果が奏される。
【図面の簡単な説明】
【００１５】
【図１】本発明の実施例１を示すプラスチック製容器の外観斜視図。
【図２】図１の容器の平面図。
【図３】図１の容器の一方の隅角部の斜視図。
【図４】図１の容器の他方の隅角部の斜視図。
【図５】図２のＡ−Ａ線断面図。
【図６】図２のＢ−Ｂ線断面図。
【図７】図１の容器の下面の斜視図。
【図８】図１の容器の使用状態を示す斜視図。
【図９】図１の容器を平面上に隣り合うように並べた状態の側面図。
【図１０】図１の容器を段積みした際の側面図。
【図１１】図１の容器を段積みした際の斜視図。
【図１２】本発明の実施例２を示すプラスチック製容器の外観斜視図。
【図１３】図１２の容器の平面図。
【図１４】図１２の容器の一方の隅角部の斜視図。
【図１５】図１２の容器の他方の隅角部の斜視図。
【図１６】図１３のＡ−Ａ線断面図。
【図１７】図１３のＢ−Ｂ線断面図。
【図１８】図１２の容器の下面の斜視図。
【図１９】図１２の容器を平面上に隣り合うように並べた状態の側面図。
【図２０】図１２の容器を平面上に隣り合うように並べた状態の平面図。
【図２１】図１２の容器を段積みした際の側面図。
【図２２】図１２の容器を段積みした際の斜視図。
【図２３】従来の容器の隅角部の斜視図。
【図２４】図２３の平面図。
【符号の説明】
【００１６】
１            直方形状容器
３            外側壁
４ａ〜４ｄ    凸部
８ａ〜８ｄ    凹所
Ｘ，Ｙ        対角線
ｍ，ｎ        上下間隔
ｈ１〜ｈ４    高さ
【図１】
2008110774.tif 000003
【図２】
2008110774.tif 000004
【図３】
2008110774.tif 000005
【図４】
2008110774.tif 000006
【図５】
2008110774.tif 000007
【図６】
2008110774.tif 000008
【図７】
2008110774.tif 000009
【図８】
2008110774.tif 000010
【図９】
2008110774.tif 000011
【図１０】
2008110774.tif 000012
【図１１】
2008110774.tif 000013
【図１２】
2008110774.tif 000014
【図１３】
2008110774.tif 000015
【図１４】
2008110774.tif 000016
【図１５】
2008110774.tif 000017
【図１６】
2008110774.tif 000018
【図１７】
2008110774.tif 000019
【図１８】
2008110774.tif 000020
【図１９】
2008110774.tif 000021
【図２０】
2008110774.tif 000022
【図２１】
2008110774.tif 000023
【図２２】
2008110774.tif 000024
【図２３】
2008110774.tif 000025
【図２４】
2008110774.tif 000026